(57)【特許請求の範囲】
【請求項１】
電子ペーパを有する付爪に対して、出力部を介して画像データを出力する制御部を備える付爪用出力装置であって、
筒状の第１部材と、
前記第１部材内に配置され、前記出力部を有する第２部材と、を備え、
前記第２部材は、前記画像データを表示する第１表示部を備え、前記出力部が前記第１部材の一端部から外側に突出する突出位置と、前記出力部が前記第１部材内に配置される退避位置とに進退可能となっていることを特徴とする付爪用出力装置。
【請求項２】
電子ペーパを有する付爪に対して、出力部を介して画像データを出力する制御部を備える付爪用出力装置であって、
筒状の第１部材と、
前記第１部材内に配置され、前記出力部を有する第２部材と、を備え、
前記第２部材は、先端部が楔形状となり、前記出力部が前記第１部材の一端部から外側に突出する突出位置と、前記出力部が前記第１部材内に配置される退避位置とに進退可能となっており、
前記出力部は、前記付爪に設けられる入力端子との接触により前記電子ペーパに画像データを出力する出力端子であり、
前記出力端子は、少なくとも前記先端部の先端に設けられていることを特徴とする付爪用出力装置。
【請求項３】
前記第１部材の他端部側に配置され、前記第１部材に対して回転可能な第３部材を備え、
前記第２部材は、前記第１部材および前記第３部材の一方に対して螺合され、他方に対して回転方向への移動が規制されるとともに前記第１部材の軸線方向に移動可能となることを特徴とする請求項１または請求項２に記載の付爪用出力装置。
【請求項４】
電子ペーパを有する付爪に対して、出力部を介して画像データを出力する制御部を備える付爪用出力装置であって、
筒状の第１部材と、
前記第１部材内に配置され、前記出力部を有する第２部材であって、前記出力部が前記第１部材の一端部から外側に突出する突出位置と、前記出力部が前記第１部材内に配置される退避位置とに進退可能な第２部材と、
前記第１部材の他端部側に配置され、前記第１部材に対して回転可能な第３部材と、
前記第３部材の回転動作に基づいて前記制御部から前記出力部に出力する画像データを切り替える切替スイッチと、を備えることを特徴とする付爪用出力装置。
【請求項５】
電子ペーパを有する付爪に対して、出力部を介して画像データを出力する制御部を備える付爪用出力装置であって、
筒状の第１部材と、
前記第１部材内に配置され、前記出力部を有する第２部材であって、前記出力部が前記第１部材の一端部から外側に突出する突出位置と、前記出力部が前記第１部材内に配置される退避位置とに進退可能な第２部材と、
前記第１部材の他端部側に配置され、前記第１部材に対して回転可能な第３部材と、を備え、
前記第３部材は、前記画像データを特定する情報を表示する第２表示部を備えることを特徴とする付爪用出力装置。
【請求項６】
前記第２部材は、前記第１部材および前記第３部材の一方に対して螺合され、他方に対して回転方向への移動が規制されるとともに前記第１部材の軸線方向に移動可能となることを特徴とする請求項４または請求項５に記載の付爪用出力装置。
【請求項７】
前記第３部材の回転動作に基づいて前記制御部をＯＮ・ＯＦＦする電源スイッチを備えたことを特徴とする請求項３から請求項６のいずれか１項に記載の付爪用出力装置。
【請求項８】
前記第２部材の進退動作に基づいて前記制御部をＯＮ・ＯＦＦする電源スイッチを備えたことを特徴とする請求項１から請求項７のいずれか１項に記載の付爪用出力装置。
【発明の詳細な説明】
【技術分野】
【０００１】
本発明は、電子ペーパを有する付爪に対して画像データを出力する付爪用出力装置に関する。
【背景技術】
【０００２】
従来、付爪用出力装置として、断面視略コ字状の筐体と、筐体内に設けられ、付爪の電子ペーパに対して画像データを非接触で出力するための無線通信部や制御部などを備えたものが知られている（特許文献１参照）。この付爪用出力装置では、筐体の凹部に、電子ペーパを貼り付けた爪を通過させる若しくは爪を配置することで、電子ペーパに画像を表示させている。
【先行技術文献】
【特許文献】
【０００３】
【特許文献１】特開２０１２−２００３５号公報
【発明の概要】
【発明が解決しようとする課題】
【０００４】
しかしながら、従来技術では、様々なユーザの指が凹部内に入ることができるように、凹部をある程度大きく形成する必要があるため、付爪用出力装置が大型化し、携帯には適さないといった問題があった。
【０００５】
そこで、本発明は、携帯に適した付爪用出力装置を提供することを目的とする。
【課題を解決するための手段】
【０００６】
前記課題を解決するため、本発明に係る付爪用出力装置は、電子ペーパを有する付爪に対して出力部を介して画像データを出力する制御部と、筒状の第１部材と、前記第１部材内に配置され、前記出力部を有する第２部材と、を備える。
前記第２部材は、前記出力部が前記第１部材の一端部から外側に突出する突出位置と、前記出力部が前記第１部材内に配置される退避位置とに進退可能となっている。
【０００７】
この構成によれば、付爪用出力装置を鞄などに入れて携帯する場合には、第２部材を退避位置に移動させることで、付爪用出力装置をコンパクトにすることができるので、ユーザが付爪用出力装置を良好に携帯することができる。また、第２部材を退避位置に移動させることで筒状の第１部材によって出力部を保護することができるので、例えば鞄内に入っている物によって出力部が傷付くのを抑えることができる。
【０００８】
また、前記した構成において、前記第２部材の進退動作に基づいて前記制御部をＯＮ・ＯＦＦする電源スイッチを備えていてもよい。
【０００９】
これによれば、第２部材の進退動作によって制御部をＯＮ・ＯＦＦすることができるので、付爪用出力装置の外面にＯＮ・ＯＦＦスイッチを設ける必要がなく、外観を向上させることができる。また、制御部をＯＦＦし忘れることを抑制することができる。
【００１０】
また、前記した構成において、前記第１部材の他端部側に配置され、前記第１部材に対して回転可能な第３部材を備え、前記第２部材は、前記第１部材および前記第３部材の一方に対して螺合され、他方に対して回転方向への移動が規制されるとともに前記第１部材の軸線方向に移動可能となっていてもよい。
【００１１】
これによれば、口紅やリップクリームを使うときと同じ動作で付爪用出力装置を操作することができる。
【００１２】
また、前記した構成において、前記第３部材の回転動作に基づいて前記制御部をＯＮ・ＯＦＦする電源スイッチを備えていてもよい。
【００１３】
これによれば、第３部材の回転操作によって制御部をＯＮ・ＯＦＦすることができるので、付爪用出力装置の外面にＯＮ・ＯＦＦスイッチを設ける必要がなく、外観を向上させることができる。また、制御部をＯＦＦし忘れることを抑制することができる。
【００１４】
また、前記した構成において、前記第３部材の回転動作に基づいて前記制御部から前記出力部に出力する画像データを切り替える切替スイッチを備えていてもよい。
【００１５】
これによれば、第３部材の回転操作によって画像データを選択することができるので、付爪用出力装置の外面に画像データの選択用のスイッチを設ける必要がなく、外観を向上させることができる。
【００１６】
また、前記した構成において、前記第２部材は、前記画像データを表示する第１表示部を備えていてもよい。
【００１７】
これによれば、ユーザが使用時に第１表示部で表示された画像データを見ることができるので、付爪の電子ペーパにどのような画像が表示されるのかを事前に確認することができる。
【００１８】
また、前記した構成において、前記第３部材は、前記画像データを特定する情報を表示する第２表示部を備えていてもよい。
【００１９】
これによれば、似通った画像データがある場合であっても、ユーザは、画像データを特定する情報を見て画像データを認識することができる。
【００２０】
また、前記した構成において、前記出力部は、前記付爪に設けられる入力端子との接触により前記電子ペーパに画像データを出力する出力端子であってもよい。
【００２１】
これによれば、出力端子を入力端子に接触させなければ画像データが付爪の電子ペーパに出力されないので、例えばユーザが画像データを選択している際などにおいて誤って画像データが付爪の電子ペーパに出力されてしまうのを抑えることができる。
【００２２】
また、前記した構成において、前記第２部材は、先端部が楔形状となり、前記出力端子は、少なくとも前記先端部の先端に設けられていてもよい。
【００２３】
付爪の入力端子は、外部から視認できないように、付爪の先端部の裏側に設けるのが好ましい。この場合、出力端子が設けられる部分の形状によっては、当該部分が付爪の先端または指の先端と干渉し、出力端子を入力端子に接触させる作業が非常に煩雑になるおそれがある。これに対し、前記した構造では、楔形状の先端部の先端に出力端子を設けているので、先端部の先端を付爪の先端と指の先端との間の隅部に容易に差し込むことができ、出力端子を入力端子に容易に接触させることができる。
【発明の効果】
【００２４】
本発明によれば、携帯に適した付爪用出力装置を提供することができる。
【図面の簡単な説明】
【００２５】
【図１】本発明の一実施形態に係る付爪用出力装置を示す斜視図である。
【図２】進退部材が筒状部材から突出した状態を示す斜視図である。
【図３】進退部材を先端側から見た平面図（ａ）と、図３（ａ）のＩ−Ｉ断面図（ｂ）である。
【図４】筒状部材と進退部材を分解して示す側面図である。
【図５】進退部材が退避位置に位置するときの付爪用出力装置を示す断面図である。
【図６】進退部材が突出位置に位置するときの付爪用出力装置を示す断面図である。
【図７】筐体内に設けられた第３切替用端子を示す断面図である。
【図８】スマートフォンから付爪用出力装置に色データを送信する状態を示す図である。
【図９】電子ペーパを有する付爪に付爪用出力装置を接触させた状態を示す斜視図である。
【発明を実施するための形態】
【００２６】
次に、本発明の実施形態について、適宜図面を参照しながら詳細に説明する。
図１に示すように、付爪用出力装置Ｍは、図９に示す電子ペーパＥＰを有する付爪Ｎに画像データを出力する装置であり、第１部材の一例としての筒状部材１と、筒状部材１内に配置される、第２部材の一例としての進退部材２と、第３部材の一例としての筐体３と、蓋４とを備えている。筐体３および蓋４は、それぞれ矩形の有底筒状に形成されており、蓋４は、筒状部材１を覆った状態で筐体３の上部に嵌合して取り付けられるようになっている。また、筐体３の一側面には、第２表示部の一例としての第２電子ペーパＰ２が貼り付けられている。
【００２７】
筐体３は、筒状部材１の下端部側に配置されており、その内周面は円筒状になっている。筒状部材１は、筐体３の円筒状の内周面で回転可能に支持されている。そして、筒状部材１および筐体３の一方を他方に対して回転させると、図２に示すように、進退部材２が上方に移動して筒状部材１の上端から突出するようになっている。つまり、進退部材２は、図２に示す突出位置と、図１に示す退避位置とに進退可能となっている。
【００２８】
進退部材２は、樹脂などからなる部材であり、筒状部材１の上端から上方に突出して外部に露出可能な円柱状の露出部２１を有している。露出部２１の先端部２１ａは、上方に向かうにつれて先細となる楔形状となっている。詳しくは、露出部２１は、円柱を斜めに切ったような形状となっている。そして、露出部２１の表面には、画像データを表示する第１表示部の一例としての第１電子ペーパＰ１が貼り付けられている。
【００２９】
ここで、電子ペーパとしては、例えばエレクトロクロミズムを利用したものを使用することができる。なお、電子ペーパは、エレクトロクロミズムを利用したものに限らず、コレステリック液晶、強誘電性液晶、エレクトロウエッティング、エレクトロデポジションなどを利用したものであってもよい。
【００３０】
詳しくは、第１電子ペーパＰ１は、露出部２１の外周面と先端面とに貼り付けられている。図３（ａ），（ｂ）に示すように、露出部２１の先端面には、出力部の一例としての一対の出力端子２２ａを有する透明部２２が設けられている。透明部２２は、所定の透過性を有する樹脂などからなり、その上面が三次元曲面となっている。ここで、所定の透過性とは、露出部２１の先端面にある第１電子ペーパＰ１を外部から視認可能な程度の透過性をいう。
【００３１】
出力端子２２ａは、露出部２１の楔形状の先端部２１ａの先端から基端にわたって設けられ、その上面が透明部２２の表面に沿って外部に露出している。出力端子２２ａは、配線を介して後述する制御部５（図６参照）に接続されている。そして、出力端子２２ａは、図２に示す突出位置において筒状部材１の上端から外側に突出し、図１に示す退避位置において筒状部材１内に配置される。
【００３２】
図４に示すように、進退部材２は、前述した露出部２１の他に、露出部２１の下に配置される円柱状部２３と、円柱状部２３の下に配置されるフランジ部２４とを有している。円柱状部２３は、露出部２１の直径（詳しくは、第１電子ペーパＰ１を含んだ直径）よりも大径となる円柱状の部位であり、その外周面の上端部に雄ネジ部２３ａが形成されている。円柱状部２３内には、後述する制御部５（図６参照）が設けられている。
【００３３】
フランジ部２４は、円柱状部２３よりも大径となる略円板状の部位であり、その上面には、波型の第１係合突起２４ａが円柱状部２３を囲うように環状に形成されている。また、フランジ部２４の外周面には、径方向外側に突出する一対のガイド片２４ｂ（１つのみ図示）が設けられている。各ガイド片２４ｂは、進退部材２の回転中心を挟んで設けられている。
【００３４】
筒状部材１は、円筒状の円筒部材１１と、円筒部材１１に対して回転可能な環状のリング部材１２とを備えている。リング部材１２の下部には、進退部材２の波型の第１係合突起２４ａに係合する波型の第２係合突起１２ａが形成されている。これにより、進退部材２が突出位置まで移動したときに、第１係合突起２４ａと第２係合突起１２ａとが係合することで、進退部材２とリング部材１２が一体に回転するようになっている。
【００３５】
円筒部材１１は、円筒状の基部１１ａと、基部１１ａの外周面から径方向外側に突出するリング状のフランジ部１１ｂとを有している。
【００３６】
図５に示すように、基部１１ａの内周面には、前述した進退部材２の雄ネジ部２３ａが捩じ込まれる雌ネジ部１１ｄが形成されている。これにより、基部１１ａが進退部材２に対して相対的に回転すると、進退部材２が上下に進退するようになっている。なお、図５においては、便宜上、後述する制御部５の図示を省略している。
【００３７】
雌ネジ部１１ｄは、基部１１ａの上端から下方に離れた位置から下端まで形成されている。基部１１ａの上端から雌ネジ部１１ｄの上端までの距離は、進退部材２の雄ネジ部２３ａの上端から下端までの距離以上の大きさに設定されている。これにより、雄ネジ部２３ａが雌ネジ部１１ｄの上に外れた際に、雄ネジ部２３ａが円筒部材１１の上端から突出しないので（図６参照）、外観を向上させることが可能となっている。
【００３８】
なお、雄ネジ部２３ａが雌ネジ部１１ｄから外れた状態においては、ユーザが、筒状部材１に対して筐体３を一方向（進退部材２が上昇する方向）に回転させても、進退部材２は、上方に移動せずに、その場で回転するようになっている。また、雄ネジ部２３ａが雌ネジ部１１ｄから外れた状態において、ユーザが、筒状部材１に対して筐体３を他方向に回転させた場合には、雄ネジ部２３ａと雌ネジ部１１ｄが再度噛み合って、進退部材２が下降する。
【００３９】
フランジ部１１ｂは、筐体３の上部の内周面に設けられた環状の支持溝３１に係合し、当該支持溝３１によって回転可能に支持されている。基部１１ａの下端部は、他の部位よりも外径が小さくなっており、その外周面には、径方向外側に突出する複数の突起１１ｃが設けられている。複数の突起１１ｃは、回転方向に等間隔に配置されている。なお、突起１１ｃの数は、１つであってもよい。
【００４０】
リング部材１２は、基部１１ａの下端部、つまり小径部分に回転可能に取り付けられており、その内周面には、基部１１ａの複数の突起１１ｃのそれぞれと係合可能な複数の係合穴１２ｃが形成されている。複数の係合穴１２ｃは、回転方向において等間隔に配置されており、リング部材１２を所定角度回転させることで、所定の係合穴１２ｃが、所定の突起１１ｃから外れ、所定の突起１１ｃの回転方向下流側にある次の突起１１ｃに係合するようになっている。これにより、円筒部材１１をリング部材１２に対して相対的に回転させると、係合穴１２ｃと突起１１ｃとの解除・係合によるクリック感をユーザに感じさせることが可能となっている。
【００４１】
筐体３のうち円筒部材１１よりも下側の内周面は、進退部材２のフランジ部２４の外周面を上下方向（円筒部材１１の軸線方向）に移動可能に支持するガイド面となっている。筐体３の下側の内周面には、進退部材２のフランジ部２４に形成された各ガイド片２４ｂを上下方向に移動可能に支持するとともに、各ガイド片２４ｂの回転方向への移動を規制する一対のガイド溝３２（１つのみ図示）が形成されている。また、筐体３には、制御部５（図６参照）に電力を供給するバッテリ６が設けられている。
【００４２】
なお、バッテリ６の充電方式は、どのような方式であってもよく、例えば、バッテリ６側の端子と充電器側の端子とが接触する方式であってもよいし、バッテリ６に対して充電器が非接触で充電を行うものであってもよい。
【００４３】
次に、図６を参照して、各電子ペーパＰ１，Ｐ２、制御部５およびバッテリ６の配線構造について説明する。
付爪用出力装置Ｍは、その内部に、電源スイッチ７と、切替スイッチ８とを備えている。電源スイッチ７は、進退部材２の進退動作に基づいて制御部５をＯＮ・ＯＦＦするスイッチ、言い換えると筐体３の筒状部材１に対する相対的な回転動作に基づいて制御部５をＯＮ・ＯＦＦするスイッチである。電源スイッチ７は、進退部材２のフランジ部２４の外周面に設けられる第１端子７１と、筐体３の内周面に設けられる第２端子７２とを備えている。なお、第１端子７１と第２端子７２は、プラスとマイナスとでそれぞれ２つずつ必要であるが、図６では便宜上、プラスとマイナスのいずれか一方の第１端子７１および第２端子７２を図示している。つまり、例えば図示されている第１端子７１および第２端子７２をプラス側の端子とすると、マイナス側の第１端子および第２端子は、図の奥に配置されていることとし、図示を省略する。
【００４４】
第１端子７１は、配線を介して制御部５に接続され、第２端子７２は、配線を介してバッテリ６に接続されている。第１端子７１と第２端子７２は、進退部材２が突出位置に位置するときに接触し、進退部材２が退避位置に位置するときに上下方向に間隔を空けて配置されている（図５参照）。
【００４５】
また、進退部材２のフランジ部２４の外周面と筐体３の内周面には、制御部５から第２電子ペーパＰ２に所定の情報を送信するための第３端子９１および第４端子９２が設けられている。ここで、所定の情報は、画像データを特定する情報であり、本実施形態では、色の種類を特定するための数字とする。
【００４６】
なお、第３端子９１および第４端子９２も、前述した第１端子７１および第２端子７２と同様に、少なくともプラスとマイナスとでそれぞれ２つずつ必要であるが、図６では便宜上、プラスとマイナスのいずれか一方の第３端子９１および第４端子９２を図示している。つまり、例えば図示されている第３端子９１および第４端子９２をプラス側の端子とすると、マイナス側の第３端子および第４端子は、図の奥に配置されていることとし、図示を省略する。
【００４７】
第３端子９１は、進退部材２のフランジ部２４の外周面に設けられ、配線を介して制御部５に接続されている。第４端子９２は、筐体３の内周面に設けられ、配線を介して第２電子ペーパＰ２に接続されている。そして、第３端子９１と第４端子９２は、進退部材２が突出位置に位置するときに接触し、進退部材２が退避位置に位置するときに上下方向に間隔を空けて配置されている（図５参照）。
【００４８】
切替スイッチ８は、筐体３の筒状部材１に対する相対的な回転動作に基づいて制御部５から出力端子２２ａに出力する画像データを切り替えるためのスイッチであり、第１切替用端子８１と、第２切替用端子８２と、第３切替用端子８３とを備えている。第１切替用端子８１は、円筒部材１１の外周面に設けられ、円筒部材１１内に配置された配線と、円筒部材１１の下端部の外周面に設けられた第１接続端子１０１と、進退部材２の第１係合突起２４ａの下部の内周面に設けられたリング状の第２接続端子１０２と、進退部材２内に配置された配線を介して制御部５に接続されている。第２切替用端子８２は、円筒部材１１の外周面に設けられ、円筒部材１１内に設けられた配線と、円筒部材１１の下面に設けられた第３接続端子１０３と、進退部材２のフランジ部２４の上面に設けられたリング状の第４接続端子１０４と、進退部材２内に配置された配線を介して制御部５に接続されている。
【００４９】
図７に示すように、第３切替用端子８３は、筐体３の内周面において回転方向に間隔を空けて並ぶように設けられる複数の接点部８３ａと、複数の接点部８３ａの下に配置され、各接点部８３ａを繋ぐ環状のベース部８３ｂとを有している。複数の接点部８３ａは、図６に示すリング部材１２の複数の係合穴１２ｃと同じ数で、かつ、同位相で設けられている。そして、係合穴１２ｃが突起１１ｃに係合したときに、２つの接点部８３ａが、第１切替用端子８１と第２切替用端子８２に接続するようになっている。
【００５０】
以上のように構成される切替スイッチ８は、リング部材１２の係合穴１２ｃが突起１１ｃに係合するたびにＯＮとなり、係合穴１２ｃが突起１１ｃから外れるたびにＯＦＦとなる。
【００５１】
制御部５は、例えば、ＣＰＵ(Central Processing Unit）、ＲＡＭ(Random Access Memory)、ＲＯＭ(Read Only Memory)、ＥＥＰＲＯＭ（Electrically Erasable Programmable Read-Only Memory）、入出力回路および無線通信部を備えている。ＲＡＭには、初期状態においては、所定数の画像データが当該画像データを特定する特定情報とともに記憶されている。ここで、本実施形態では、画像データを、単色の色データとし、特定情報を、色の種類ごとに設定されているカラーナンバとする。
【００５２】
制御部５は、図８に示すスマートフォンＳＰやタブレット端末などの無線通信部を有する端末機器から新たな色データがカラーナンバとともに送信されてくると、新たな色データとカラーナンバをＥＥＰＲＯＭに追加登録する機能を有している。また、制御部５は、電源スイッチ７がＯＮされると、初期画像として設定されている色データを第１電子ペーパＰ１に出力して表示するとともに、当該色データのカラーナンバを第２電子ペーパＰ２に出力して表示する機能を有している。
【００５３】
さらに、制御部５は、切替スイッチ８がＯＦＦからＯＮに切り替わった場合に、第１電子ペーパＰ１に出力する色データと、第２電子ペーパＰ２に出力するカラーナンバを切り替える機能を有している。また、制御部５は、図９に示すように、出力端子２２ａが、付爪Ｎの先端の裏側に設けられた電子ペーパＥＰの入力端子に接続された場合に、第１電子ペーパＰ１に出力している色データを、出力端子２２ａを介して付爪Ｎの電子ペーパＥＰに出力する機能を有している。
【００５４】
次に、付爪用出力装置Ｍの使用方法について説明する。
図１に示すように、付爪用出力装置Ｍを使用する場合には、ユーザは、また、筐体３から蓋４を外す。その後、ユーザは、例えば筒状部材１に対して筐体３を回転させることで、進退部材２を筒状部材１から上方に突出させる。上方に移動する進退部材２が最上方の突出位置に到達すると、制御部５がＯＮとなって作動することで、第１電子ペーパＰ１に初期の色データが表示されるとともに、第２電子ペーパＰ２に当該色データに対応したカラーナンバが表示される。
【００５５】
その後、ユーザが筐体３をさらに回転させていくと、各電子ペーパＰ１，Ｐ２に表示される色データとカラーナンバが順次切り替わっていく。この際、ユーザは、色データ等が切り替わるたびにクリック感を感じることができるので、色の切り替わりを、視覚と触感で容易に認識することができる。
【００５６】
ここで、非常に似通った色の複数の色データが順次切り替わる場合には、ユーザは、第１電子ペーパＰ１に表示された色データのみでは、色の種類を正確に認識できない場合がある。これに対し、本実施形態では、第２電子ペーパＰ２に色の種類を示すカラーナンバが表示されるので、ユーザは、色の種類を正確に知ることができる。
【００５７】
色の選択の終了後、ユーザは、図９に示すように、付爪用出力装置Ｍの出力端子２２ａを、付爪Ｎの入力端子に接触させる。これにより、第１電子ペーパＰ１で表示されている色データと同じ色データが、付爪Ｎの電子ペーパＥＰに出力されて表示される。
【００５８】
付爪用出力装置Ｍに登録されている色データを増やす場合には、図８に示すように、ユーザは、スマートフォンＳＰにダウンロードしたアプリを用いて、色データを選択して付爪用出力装置Ｍに送信する。この際、付爪用出力装置Ｍは、電源スイッチ７をＯＮにした状態、つまり進退部材２を突出位置に位置させた状態にしておけばよい。
【００５９】
なお、この場合において、制御部５は、スマートフォンＳＰから色データおよびカラーナンバを受信したときに、当該色データおよびカラーナンバを各電子ペーパＰ１，Ｐ２に表示させるように構成されていてもよい。これによれば、ユーザが、新たな色データが付爪用出力装置Ｍに登録されたか否かを確実に知ることができる。
【００６０】
以上、本実施形態によれば、前述した効果に加え、以下のような効果を得ることができる。
付爪用出力装置Ｍを鞄などに入れて携帯する場合には、進退部材２を退避位置に移動させることで、付爪用出力装置Ｍをコンパクトにすることができるので、ユーザが付爪用出力装置Ｍを携帯しやすい。
【００６１】
また、進退部材２を退避位置に移動させることで筒状部材１によって出力端子２２ａを保護することができるので、例えば蓋４を外した状態の付爪用出力装置Ｍを落とした場合であっても、出力端子２２ａが傷付くのを抑えることができる。さらに、本実施形態では、出力端子２２ａを覆う蓋４を備えているので、蓋４によっても出力端子２２ａを保護することができる。
【００６２】
筒状部材１に対して筐体３を相対的に回転させることで、進退部材２が筒状部材１から突出する構造としたので、口紅やリップクリームを使うときと同じ動作で付爪用出力装置Ｍを操作することができる。
【００６３】
筒状部材１に対する筐体３の相対的な回転動作によって制御部５をＯＮ・ＯＦＦすることができるので、付爪用出力装置Ｍの外面にＯＮ・ＯＦＦスイッチを設ける必要がなく、外観を向上させることができる。また、制御部５をＯＦＦし忘れることを抑制することができる。
【００６４】
筒状部材１に対する筐体３の相対的な回転動作によって色データを選択することができるので、付爪用出力装置Ｍの外面に色データの選択用のスイッチを設ける必要がなく、外観を向上させることができる。
【００６５】
進退部材２に色データを表示する第１電子ペーパＰ１を設けることで、ユーザが使用時に第１電子ペーパＰ１で表示された色データを見ることができるので、付爪Ｎの電子ペーパＥＰにどのような色が表示されるのかを事前に確認することができる。
【００６６】
出力端子２２ａを入力端子に接触させなければ色データが付爪Ｎの電子ペーパＥＰに出力されないので、例えばユーザが色データを選択している際などにおいて誤って色データが付爪Ｎの電子ペーパＥＰに出力されてしまうのを抑えることができる。
【００６７】
進退部材２の楔形状の先端部２１ａの先端に出力端子２２ａを設けているので、先端部２１ａの先端を付爪Ｎの先端と指の先端との間の隅部に容易に差し込むことができ、出力端子２２ａを入力端子に容易に接触させることができる。
【００６８】
なお、本発明は前記実施形態に限定されることなく、以下に例示するように様々な形態で利用できる。
前記実施形態では、第２部材（進退部材２）が、第１部材（筒状部材１）に対して螺合され、第３部材（筐体３）に対して回転方向への移動が規制されるとともに軸線方向に移動可能となるように、付爪用出力装置Ｍを構成したが、本発明はこれに限定されるものではない。例えば、第２部材が、第３部材に対して螺合され、第１部材に対して回転方向への移動が規制されるとともに軸線方向に移動可能となるように、付爪用出力装置を構成してもよい。
【００６９】
前記実施形態では、蓋４を設けたが、本発明はこれに限定されず、蓋を設けなくてもよい。
【００７０】
前記実施形態では、出力部として、入力端子に接触する出力端子２２ａを例示したが、本発明はこれに限定されず、例えば、付爪の電子ペーパに対して非接触で画像データを送信する送信部であってもよい。
【００７１】
前記実施形態では、画像データとして色データを例示したが、本発明はこれに限定されず、例えば模様や文字などの画像データであってもよい。
【００７２】
前記実施形態では、第１表示部や第２表示部として電子ペーパＰ１，Ｐ２を例示したが、本発明はこれに限定されず、例えば電子ペーパよりも可撓性が低い液晶パネルやＬＥＤなどであってもよい。
【００７３】
また、付爪用出力装置の機械的構成は限られず、例えば、筒状の第１部材に対して第２部材が直線的に移動可能に構成され、第２部材がスライド操作で進退するように構成されていてもよい。
【００７４】
前記実施形態では、付爪用出力装置Ｍに第２電子ペーパＰ２を設けたが、本発明はこれに限定されず、付爪用出力装置に第２電子ペーパを設けなくてもよい。
【符号の説明】
【００７５】
１      筒状部材
２      進退部材
５      制御部
２２ａ  出力端子
ＥＰ    電子ペーパ
Ｍ      付爪用出力装置
Ｎ      付爪
【図１】
0006441784.tif 000002
【図２】
0006441784.tif 000003
【図３】
0006441784.tif 000004
【図４】
0006441784.tif 000005
【図５】
0006441784.tif 000006
【図６】
0006441784.tif 000007
【図７】
0006441784.tif 000008
【図８】
0006441784.tif 000009
【図９】
0006441784.tif 000010